【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
共通の被写体を含む複数の画像間で位置合わせ処理を行う画像の位置合わせ処理装置であって、
前記複数の画像のうち少なくとも一つの画像内に複数の部分領域を設定する部分領域設定手段と、
設定された部分領域毎に、他の画像内の対応する領域との間の類似度を決定する部分領域類似度決定手段と、
決定された部分領域類似度により、全体領域類似度を決定する全体領域類似度決定手段と、
決定された全体領域類似度に基づいて、一方の画像を他の画像に位置合わせするための画像変換条件を決定する画像変換条件決定手段と、
決定された画像変換条件に基づいて画像変換を行うことにより、画像の位置合わせを行う画像変換手段を有することを特徴とする画像の位置合わせ処理装置。
【請求項２】
前記全体領域類似度決定手段は、部分領域類似度を、各部分領域に対して設定された重み係数を用いて重み付け加算することを特徴とする請求項１に記載の画像の位置合わせ処理装置。
【請求項３】
前記共通の被写体が人体の一部であり、前記複数の画像のうち少なくとも一つの画像から人体の解剖学的構造を抽出する解剖学的構造抽出手段を有し、前記部分領域設定手段は、前記解剖学的構造抽出手段における抽出結果に基づいて前記複数の部分領域を設定することを特徴とする請求項１または請求項２に記載の画像の位置合わせ処理装置。
【請求項４】
前記複数の画像のうち少なくとも一つの画像内に注目位置を指定する注目位置指定手段を有し、指定された注目位置に基づいて前記複数の部分領域を設定することを特徴とする請求項１乃至請求項３のいずれか１項に記載の画像の位置合わせ処理装置。
【請求項５】
前記複数の画像のうち少なくとも一つの画像内に注目位置を指定する注目位置指定手段を有し、前記複数の部分領域のうち、指定された注目位置を含む部分領域に対応する重み係数が、他の部分領域に対応する重み係数よりも大きくなるように前記重み係数を設定することを特徴とする請求項１乃至請求項４のいずれか１項に記載の画像の位置合わせ処理装置。
【請求項６】
前記画像変換手段は、前記決定された画像変換条件に基づいて画像変換を行うことにより、画像の位置合わせを行う粗位置合わせの後に、精位置合わせの２段階の画像の位置合わせを行なうことを特徴とする請求項１乃至請求項５のいずれか１項に記載の画像の位置合わせ処理装置。
【請求項７】
請求項１乃至請求項６のいずれか１項に記載の画像の位置合わせ処理装置で位置合わせが行われた複数の画像を同時に表示する画像表示手段を有することを特徴とする画像の位置合わせ処理装置。
【請求項８】
請求項１乃至請求項６のいずれか１項に記載の画像の位置合わせ処理装置で位置合わせが行われた複数の画像間で演算を行う画像間演算手段を有することを特徴とする画像間演算処理装置。
【請求項９】
請求項１乃至請求項６のいずれか１項に記載の画像の位置合わせ処理装置で位置合わせが行われた複数の画像間で演算を行う画像間演算手段と、位置合わせが行われた複数の画像または画像間演算により生成された演算処理画像を表示する画像表示手段を有することを特徴とする画像間演算処理装置。
【手続補正２】
【補正対象書類名】明細書
【補正対象項目名】００１１
【補正方法】変更
【補正の内容】
【００１１】
請求項１に記載の発明は、『共通の被写体を含む複数の画像間で位置合わせ処理を行う画像の位置合わせ処理装置であって、
前記複数の画像のうち少なくとも一つの画像内に複数の部分領域を設定する部分領域設定手段と、
設定された部分領域毎に、他の画像内の対応する領域との間の類似度を決定する部分領域類似度決定手段と、
決定された部分領域類似度により、全体領域類似度を決定する全体領域類似度決定手段と、
決定された全体領域類似度に基づいて、一方の画像を他の画像に位置合わせするための画像変換条件を決定する画像変換条件決定手段と、
決定された画像変換条件に基づいて画像変換を行うことにより、画像の位置合わせを行う画像変換手段を有することを特徴とする画像の位置合わせ処理装置。』である。
請求項２に記載の発明は、『前記全体領域類似度決定手段は、部分領域類似度を、各部分領域に対して設定された重み係数を用いて重み付け加算することを特徴とする請求項１に記載の画像の位置合わせ処理装置。』である。
【手続補正３】
【補正対象書類名】明細書
【補正対象項目名】００１２
【補正方法】変更
【補正の内容】
【００１２】
この請求項１及び請求項２に記載の発明によれば、複数の画像のうち少なくとも一つの画像内に複数の部分領域を設定し、この設定された部分領域毎に、他の画像内の対応する領域との間の類似度を決定し、決定された部分領域類似度により、全体領域類似度を決定し、決定された全体領域類似度に基づいて、一方の画像を他の画像に位置合わせするための画像変換条件を決定し、決定された画像変換条件に基づいて画像変換を行うことにより、人体の放射線画像の間で相対的に位置ずれがあっても、精度良く位置合わせする処理を、効率的かつ安定的に自動処理できる。
【手続補正４】
【補正対象書類名】明細書
【補正対象項目名】００１３
【補正方法】変更
【補正の内容】
【００１３】
請求項３に記載の発明は、『前記共通の被写体が人体の一部であり、前記複数の画像のうち少なくとも一つの画像から人体の解剖学的構造を抽出する解剖学的構造抽出手段を有し、前記部分領域設定手段は、前記解剖学的構造抽出手段における抽出結果に基づいて前記複数の部分領域を設定することを特徴とする請求項１または請求項２に記載の画像の位置合わせ処理装置。』である。
【手続補正５】
【補正対象書類名】明細書
【補正対象項目名】００１４
【補正方法】変更
【補正の内容】
【００１４】
この請求項３に記載の発明によれば、共通の被写体が人体の一部であり、複数の画像のうち少なくとも一つの画像から人体の解剖学的構造を抽出し、抽出結果に基づいて複数の部分領域を設定することにより、人体の放射線画像の間で相対的に位置ずれがあっても、精度良く位置合わせする処理を、効率的かつ安定的に自動処理できる。
【手続補正６】
【補正対象書類名】明細書
【補正対象項目名】００１５
【補正方法】変更
【補正の内容】
【００１５】
請求項４に記載の発明は、『前記複数の画像のうち少なくとも一つの画像内に注目位置を指定する注目位置指定手段を有し、指定された注目位置に基づいて前記複数の部分領域を設定することを特徴とする請求項１乃至請求項３のいずれか１項に記載の画像の位置合わせ処理装置。』である。
【手続補正７】
【補正対象書類名】明細書
【補正対象項目名】００１６
【補正方法】変更
【補正の内容】
【００１６】
この請求項４に記載の発明によれば、複数の画像のうち少なくとも一つの画像内に注目位置を指定し、指定された注目位置に基づいて複数の部分領域を設定するから、注目位置に着目することでよりずれを精度良く位置合わせすることができる。
【手続補正８】
【補正対象書類名】明細書
【補正対象項目名】００１７
【補正方法】変更
【補正の内容】
【００１７】
請求項５に記載の発明は、『前記複数の画像のうち少なくとも一つの画像内に注目位置を指定する注目位置指定手段を有し、前記複数の部分領域のうち、指定された注目位置を含む部分領域に対応する重み係数が、他の部分領域に対応する重み係数よりも大きくなるように前記重み係数を設定することを特徴とする請求項１乃至請求項４のいずれか１項に記載の画像の位置合わせ処理装置。』である。
【手続補正９】
【補正対象書類名】明細書
【補正対象項目名】００１８
【補正方法】変更
【補正の内容】
【００１８】
この請求項５に記載の発明によれば、複数の画像のうち少なくとも一つの画像内に注目位置を指定し、複数の部分領域のうち、指定された注目位置を含む部分領域に対応する重み係数が、他の部分領域に対応する重み係数よりも大きくなるように重み係数を設定することで、注目位置に着目して位置ずれをより精度良く位置合わせすることができる。
【手続補正１０】
【補正対象書類名】明細書
【補正対象項目名】００１９
【補正方法】変更
【補正の内容】
【００１９】
請求項６に記載の発明は、『前記画像変換手段は、前記決定された画像変換条件に基づいて画像変換を行うことにより、画像の位置合わせを行う粗位置合わせの後に、精位置合わせの２段階の画像の位置合わせを行なうことを特徴とする請求項１乃至請求項５のいずれか１項に記載の画像の位置合わせ処理装置。』である。
【手続補正１１】
【補正対象書類名】明細書
【補正対象項目名】００２０
【補正方法】変更
【補正の内容】
【００２０】
この請求項６に記載の発明によれば、粗位置合わせの後に、精位置合わせの２段階の画像の位置合わせを行なうことで、比較的短い処理時間で位置合わせ精度を向上することができる。
【手続補正１２】
【補正対象書類名】明細書
【補正対象項目名】００２１
【補正方法】変更
【補正の内容】
【００２１】
請求項７に記載の発明は、『請求項１乃至請求項６のいずれか１項に記載の画像の位置合わせ処理装置で位置合わせが行われた複数の画像を同時に表示する画像表示手段を有することを特徴とする画像の位置合わせ処理装置。』である。
【手続補正１３】
【補正対象書類名】明細書
【補正対象項目名】００２２
【補正方法】変更
【補正の内容】
【００２２】
この請求項７に記載の発明によれば、画像の位置合わせ処理装置で位置合わせが行われた複数の画像を同時に表示するから、位置ずれのない画像により比較読影に基づく診断を容易にかつ正確で、しかも迅速に行うことができる。
【手続補正１４】
【補正対象書類名】明細書
【補正対象項目名】００２３
【補正方法】変更
【補正の内容】
【００２３】
請求項８に記載の発明は、『請求項１乃至請求項６のいずれか１項に記載の画像の位置合わせ処理装置で位置合わせが行われた複数の画像間で演算を行う画像間演算手段を有することを特徴とする画像間演算処理装置。』である。
【手続補正１５】
【補正対象書類名】明細書
【補正対象項目名】００２４
【補正方法】変更
【補正の内容】
【００２４】
この請求項８に記載の発明によれば、画像の位置合わせ処理装置で位置合わせが行われた複数の画像間で演算を行うから、演算負担を軽減しつつ、細かな位置合わせの精度が確保される。
【手続補正１６】
【補正対象書類名】明細書
【補正対象項目名】００２５
【補正方法】変更
【補正の内容】
【００２５】
請求項９に記載の発明は、『請求項１乃至請求項６のいずれか１項に記載の画像の位置合わせ処理装置で位置合わせが行われた複数の画像間で演算を行う画像間演算手段と、位置合わせが行われた複数の画像または画像間演算により生成された演算処理画像を表示する画像表示手段を有することを特徴とする画像間演算処理装置。』である。
【手続補正１７】
【補正対象書類名】明細書
【補正対象項目名】００２６
【補正方法】変更
【補正の内容】
【００２６】
この請求項９に記載の発明によれば、位置合わせが行われた複数の画像または画像間演算により生成された演算処理画像を表示するから、位置ずれのない画像により比較読影や画像間演算結果に基づく診断を容易にかつ正確で、しかも迅速に行うことができる。
【手続補正１８】
【補正対象書類名】明細書
【補正対象項目名】０１０４
【補正方法】変更
【補正の内容】
【０１０４】
【発明の効果】
前記したように、請求項１及び請求項２に記載の発明では、決定された全体領域類似度に基づいて、一方の画像を他の画像に位置合わせするための画像変換条件を決定し、決定された画像変換条件に基づいて画像変換を行うことにより、人体の放射線画像の間で相対的に位置ずれがあっても、精度良く位置合わせする処理を、効率的かつ安定的に自動処理できる。
【手続補正１９】
【補正対象書類名】明細書
【補正対象項目名】０１０５
【補正方法】変更
【補正の内容】
【０１０５】
請求項３に記載の発明では、共通の被写体が人体の一部であり、複数の画像のうち少なくとも一つの画像から人体の解剖学的構造を抽出し、抽出結果に基づいて複数の部分領域を設定することにより、人体の放射線画像の間で相対的に位置ずれがあっても、精度良く位置合わせする処理を、効率的かつ安定的に自動処理できる。
【手続補正２０】
【補正対象書類名】明細書
【補正対象項目名】０１０６
【補正方法】変更
【補正の内容】
【０１０６】
請求項４に記載の発明では、複数の画像のうち少なくとも一つの画像内に注目位置を指定し、指定された注目位置に基づいて複数の部分領域を設定するから、注目位置に着目することでよりずれを精度良く位置合わせすることができる。
【手続補正２１】
【補正対象書類名】明細書
【補正対象項目名】０１０７
【補正方法】変更
【補正の内容】
【０１０７】
請求項５に記載の発明では、複数の画像のうち少なくとも一つの画像内に注目位置を指定し、複数の部分領域のうち、指定された注目位置を含む部分領域に対応する重み係数が、他の部分領域に対応する重み係数よりも大きくなるように重み係数を設定することで、注目位置に着目して位置ずれをより精度良く位置合わせすることができる。
【手続補正２２】
【補正対象書類名】明細書
【補正対象項目名】０１０８
【補正方法】変更
【補正の内容】
【０１０８】
請求項６に記載の発明では、粗位置合わせの後に、精位置合わせの２段階の画像の位置合わせを行なうことで、比較的短い処理時間で位置合わせ精度を向上することができる。
【手続補正２３】
【補正対象書類名】明細書
【補正対象項目名】０１０９
【補正方法】変更
【補正の内容】
【０１０９】
請求項７に記載の発明では、画像の位置合わせ処理装置で位置合わせが行われた複数の画像を同時に表示するから、位置ずれのない画像により比較読影に基づく診断を容易にかつ正確で、しかも迅速に行うことができる。
【手続補正２４】
【補正対象書類名】明細書
【補正対象項目名】０１１０
【補正方法】変更
【補正の内容】
【０１１０】
請求項８に記載の発明では、画像の位置合わせ処理装置で位置合わせが行われた複数の画像間で演算を行うから、演算負担を軽減しつつ、細かな位置合わせの精度が確保される。
【手続補正２５】
【補正対象書類名】明細書
【補正対象項目名】０１１１
【補正方法】変更
【補正の内容】
【０１１１】
請求項９に記載の発明では、位置合わせが行われた複数の画像または画像間演算により生成された演算処理画像を表示するから、位置ずれのない画像により比較読影や画像間演算結果に基づく診断を容易にかつ正確で、しかも迅速に行うことができる。